(57)【特許請求の範囲】
【請求項１】
板状部材差込み部が設けられた絶縁ハウジングと、
該絶縁ハウジング内に配列配置され、各々が上記板状部材差込み部を通じて上記絶縁ハウジング内に差し込まれた配線板状部材を挟む一対の腕状部を有して、該配線板状部材に配列配置された複数の接続端子に夫々対応する位置をとる複数の導電コンタクトと、
上記絶縁ハウジングに上記板状部材差込み部への配線板状部材の差込み方向への直線移動及び回動が可能とされて設けられ、上記複数の導電コンタクトに係合して、該複数の導電コンタクトに、配線板状部材の上記絶縁ハウジング内への差込みを妨げない状態をとらせる第１の姿勢と、上記複数の導電コンタクトの夫々における上記一対の腕状部のいずれかに、上記複数の接続端子のうちの対応するものに対する接触状態をとらせる第２の姿勢とを選択的にとるアクチュエータと、
を備えて成り、
上記アクチュエータが、上記複数の導電コンタクトの夫々における上記一対の腕状部の間に上記複数の導電コンタクトの配列方向に直交する面内の断面形状が角が丸められた三角形状を成すものとして配されて、上記一対の腕状部の各々に当接するもとで上記差込み方向への直線移動及び回動が可能とされたカム部を有するものとされ、上記一対の腕状部の一方における他方に対向する縁部に切欠き部が設けられて、上記板状部材差込み部に配線板状部材が差し込まれるとき、上記カム部が、一部が上記切欠き部に落ち込んでいない状態から、該配線板状部材により押圧されて移動せしめられて、一部が上記切欠き部に落ち込んで回動する状態に移行せしめられることにより、上記アクチュエータが上記第１の姿勢から上記第２の姿勢に移行せしめられることを特徴とするコネクタ装置。
【請求項２】
上記アクチュエータが上記第２の姿勢から上記第１の姿勢へと移行せしめられるとき、上記カム部が、上記一部が上記切欠き部に落ち込んだ状態から上記一部が上記切欠き部に落ち込んでいない状態に移行せしめられることを特徴とする請求項１記載のコネクタ装置。      
【請求項３】
上記複数のコンタクトの夫々における上記一対の腕状部の他方に、上記一部が上記切欠き部に落ち込んでいない状態にある上記カム部に係合して該カム部の位置決めを行う係合部が設けられたことを特徴とする請求項１記載のコネクタ装置。
【発明の詳細な説明】
【技術分野】
【０００１】
本願の特許請求の範囲に記載された発明は、フレキシブル印刷配線基板（以下、ＦＰＣという。）あるいはフレキシブルフラットケーブル（以下、ＦＦＣという。）等の部分とされる配線板状部材に設けられた接続端子を、他の配線基板部材等に電気的に接続された状態とするためのコネクタ装置に関する。
【背景技術】
【０００２】
携帯電話機等の電子機器に実装される、比較的小型な配線基板部材を成すＦＰＣあるいはＦＦＣは、各種電気部品が取り付けられる主印刷配線基板への取付けが、それに設けられた接続端子が主印刷配線基板に電気的に接続されて行われるが、斯かるＦＰＣあるいはＦＦＣの主印刷配線基板への取付けは、当該主印刷配線基板に電気的接続がなされて固着されたコネクタ装置が用いられて行われるものとされることが多い。このようなコネクタ装置は、ＦＰＣあるいはＦＦＣに設けられた接続端子に接触する導電コンタクトを有していて、その導電コンタクトを介して、ＦＰＣあるいはＦＦＣに設けられた接続端子を、主印刷配線基板に設けられた回路配線部に電気的に接続する。
【０００３】
既に実用に供されているＦＰＣあるいはＦＦＣの主印刷配線基板への取付けに用いられるコネクタ装置は、例えば、ＦＰＣあるいはＦＦＣが差し込まれる差込み部が設けられた絶縁ハウジングを有したものとされる。そして、その絶縁ハウジング内に配列配置されて設けられ、ＦＰＣあるいはＦＦＣが差込み部を通じて絶縁ハウジングに差し込まれるとき、そのＦＰＣあるいはＦＦＣに設けられた複数の接続端子に夫々接触接続される複数の導電コンタクトと、絶縁ハウジングに回動可能に設けられ、複数の導電コンタクトの夫々に係合して、回動せしめられるとき複数の導電コンタクトの夫々における接触作動部を変位させる、複数の導電コンタクトに共通のアクチュエータとが備えられる。
【０００４】
複数の導電コンタクトの各々は、導電性弾性材料で形成され、絶縁ハウジングに固定される部分である固定部と可動部とを有するものとされる。そして、固定部は、主印刷配線基板に設けられた回路配線部に電気的に接続され、また、可動部は、アクチュエータにより変位せしめられる接触作動部を構成する。
【０００５】
斯かるコネクタ装置にあっては、絶縁ハウジングに差込み部を通じてＦＰＣあるいはＦＦＣが差し込まれたもとで、アクチュエータが所定の方向に回動せしめられると、当該アクチュエータが、複数の導電コンタクトの夫々における接触作動部を変位させて、当該接触作動部にＦＰＣあるいはＦＦＣに設けられた複数の接続端子のうちの対応するものに対する押圧接触状態をとらせる。また、複数の導電コンタクトの各々における接触作動部がＦＰＣあるいはＦＦＣに設けられた複数の接続端子のうちの対応するものに押圧接触する状態をとるもとで、アクチュエータが上述の所定の方向とは逆の方向に回動せしめられると、当該アクチュエータが、複数の導電コンタクトの夫々における接触作動部を変位させて、当該接触作動部にＦＰＣあるいはＦＦＣに設けられた複数の接続端子のうちの対応するものに対する押圧接触状態から解放する。
【０００６】
このようなアクチュエータの回動動作を伴うコネクタ装置を使用して、ＦＰＣあるいはＦＦＣをコネクタ装置が固着された主印刷配線基板に取り付ける際においては、一般的には、先ず、絶縁ハウジングに差込み部を通じてＦＰＣあるいはＦＦＣを差し込む操作を行い、それに続いて、アクチュエータを所定の方向に回動させる操作を行って、それにより、複数の導電コンタクトの夫々における接触作動部に、ＦＰＣあるいはＦＦＣに設けられた複数の接続端子のうちの対応するものに対する押圧接触状態をとらせることになる。従って、絶縁ハウジングに差込み部を通じてＦＰＣあるいはＦＦＣを差し込む操作とアクチュエータを所定の方向に回動させる操作とを個別に行うことが要されて、使用者が煩わしさを覚えることになってしまう。
【０００７】
そこで、従来、上述のようなアクチュエータの回動動作を伴うコネクタ装置であって、それを使用してＦＰＣあるいはＦＦＣを当該コネクタ装置が固着された主印刷配線基板に取り付けるにあたり、絶縁ハウジングに差込み部を通じてＦＰＣあるいはＦＦＣを差し込む操作とアクチュエータを所定の方向に回動させる操作とを個別に行うことが要されず、絶縁ハウジングに差込み部を通じてＦＰＣあるいはＦＦＣを差し込む操作だけで足りるようにされたものが提案されている（例えば、特許文献１参照。）。
【０００８】
特許文献１に示されるようなコネクタ装置においては、絶縁ハウジング（筐体）に、複数の導電コンタクト（接触片）が配列配置されるとともに、アクチュエータが、絶縁ハウジング内へのＦＦＣの差込み方向に直交する方向（複数の導電コンタクトの配列方向）に沿って伸びる回動軸を回動中心として回動するものとされて設けられている。このアクチュエータは、その主要部分が所定の方向（絶縁ハウジングに設けられたＦＦＣ差込み部に向かう方向）に回動せしめられると、複数の導電コンタクトの夫々における接触作動部（接触ビーム）に、ＦＦＣにおける複数の導体のうちの対応するものに対する押圧接触状態をとらせる。
【０００９】
そして、アクチュエータには、回動軸から離隔した周縁部分に、絶縁ハウジング内に挿入されるＦＦＣの先端部が当接して押圧するものとされる突出部であるアクチュエータ突片部が設けられている。
【００１０】
このようなもとで、ＦＦＣが絶縁ハウジングに設けられたＦＦＣ差込み部を通じて絶縁ハウジング内に差し込まれるとき、差込み途中にあるＦＦＣの先端部が、アクチュエータ突片部に当接し、ＦＦＣの差込みに従って、アクチュエータ突片部をＦＦＣの差込み方向に押圧移動させる。それにより、アクチュエータが、回動軸を回動中心として、その主要部分を絶縁ハウジングに設けられたＦＦＣ差込み部に向かわせる方向に回動せしめられる。そして、このアクチュエータの回動により、複数の導電コンタクトの夫々における接触作動部が、絶縁ハウジング内に差し込まれたＦＦＣにおける複数の導体のうちの対応するものに対する押圧接触状態をとるものとされる。
【００１１】
即ち、ＦＦＣが絶縁ハウジングに設けられたＦＦＣ差込み部を通じて絶縁ハウジング内に差し込まれると、それに伴って、自動的に、アクチュエータが、その主要部分を絶縁ハウジングに設けられたＦＦＣ差込み部に向かわせる方向に回動させて、複数の導電コンタクトの夫々における接触作動部に、ＦＦＣにおける複数の導体のうちの対応するものに対する押圧接触状態をとらせるのである。従って、特許文献１に示されるようなコネクタ装置にあっては、ＦＦＣを当該コネクタ装置が固着された主印刷配線基板に取り付けるにあたり、絶縁ハウジングにＦＦＣ差込み部を通じてＦＦＣを差し込む操作だけで足りることになる。
【００１２】
【特許文献１】特開２００６−１３４５８１号公報（第４〜６頁、図４〜図６）
【発明の開示】
【発明が解決しようとする課題】
【００１３】
上述の特許文献１に示されるようなＦＦＣの主印刷配線基板への取付けに用いられる従来のコネクタ装置にあっては、複数の導電コンタクトの夫々における接触作動部のＦＦＣにおける複数の導体のうちの対応するものに対する押圧接触状態を確実なものとするためには、絶縁ハウジング内に差し込まれるＦＦＣによりアクチュエータが回動せしめられて、複数の導電コンタクトの夫々における接触作動部がＦＦＣに対する押圧接触状態をとるものとされたもとで、引き続きＦＦＣを絶縁ハウジング内の奥まで到達させるべく、ＦＦＣの更なる差込みを行うことが必要とされる。その際、複数の導電コンタクトの夫々における接触作動部がＦＦＣの表面との摺動を生じることになり、それにより、ＦＦＣに損傷が加えられることになってしまう虞がある。
【００１４】
さらに、特許文献１に示されるような従来のコネクタ装置にあっては、絶縁ハウジングに設けられたＦＦＣ差込み部を通じて絶縁ハウジング内に差し込まれるＦＦＣによって、アクチュエータの主要部分がＦＦＣ差込み部に向かう方向に回動せしめられるので、ＦＦＣを絶縁ハウジング内の奥まで差し込むための操作が、作業性が良くないものとされてしまう。
【００１５】
斯かる点に鑑み、本願の特許請求の範囲に記載された発明は、例えば、ＦＰＣ，ＦＦＣ等の部分とされる配線板状部材の主印刷配線基板への取付けに用いられる、板状部材差込み部が設けられた絶縁ハウジングと、その絶縁ハウジング内に配列配置されて設けられる複数の導電コンタクトと、絶縁ハウジングに回動可能に設けられて、回動により、複数の導電コンタクトに絶縁ハウジング内に差し込まれた配線板状部材における複数の接続端子に夫々当接する状態をとらせるアクチュエータとを備えたコネクタ装置であって、配線板状部材を当該コネクタ装置が固着された主印刷配線基板に取り付ける場合等において、絶縁ハウジング内に板状部材差込み部を通じて配線板状部材を差し込む操作だけで目的を達成でき、しかも、複数の導電コンタクトの配線板状部材の表面との摺動により配線板状部材に損傷が加えられる虞がなく、さらに、配線板状部材を絶縁ハウジング内の奥まで差し込むための操作が作業性の良いものとされるものを提供する。
【課題を解決するための手段】
【００１６】
本願の特許請求の範囲における請求項１から請求項３までのいずれかに記載された発明（以下、本発明という。）に係るコネクタ装置は、板状部材差込み部が設けられた絶縁ハウジングと、絶縁ハウジング内に配列配置され、各々が板状部材差込み部を通じて絶縁ハウジング内に差し込まれた配線板状部材を挟む一対の腕状部を有して、配線板状部材に配列配置された複数の接続端子に夫々対応する位置をとる複数の導電コンタクトと、絶縁ハウジングに板状部材差込み部への配線板状部材の差込み方向への直線移動及び回動が可能とされて設けられ、複数の導電コンタクトに係合して、当該複数の導電コンタクトに、配線板状部材の絶縁ハウジング内への差込みを妨げない状態をとらせる第１の姿勢と、複数の導電コンタクトの夫々における一対の腕状部のいずれかに、配線板状部材に配列配置された複数の接続端子のうちの対応するものに対する接触状態をとらせる第２の姿勢とを選択的にとるアクチュエータとを備えて成り、アクチュエータがカム部を有し、そのカム部が、複数の導電コンタクトの夫々における一対の腕状部の間に複数の導電コンタクトの配列方向に直交する面内の断面形状が角が丸められた三角形状を成すものとして配されて、一対の腕状部の各々に当接するもとで、板状部材差込み部への配線板状部材の差込み方向への直線移動及び回動が可能なものとされ、また、複数の導電コンタクトの夫々における一対の腕状部の一方における他方に対向する縁部に切欠き部が設けられて、板状部材差込み部に配線板状部材が差し込まれるとき、アクチュエータが有するカム部が、その一部が導電コンタクトに設けられた切欠き部に落ち込んでいない状態から、差し込まれる配線板状部材により押圧されて移動せしめられて、その一部が導電コンタクトに設けられた切欠き部に落ち込んで回動する状態に移行せしめられることにより、アクチュエータが第１の姿勢から第２の姿勢に移行せしめられることを特徴とするものとされる。
【００１７】
特に、本発明のうちの請求項２に記載された発明に係るコネクタ装置にあっては、アクチュエータが第２の姿勢から第１の姿勢へと移行せしめられるとき、アクチュエータが有するカム部が、その一部が導電コンタクトに設けられた切欠き部に落ち込んだ状態からその一部が導電コンタクトに設けられた切欠き部に落ち込んでいない状態に移行せしめられることを特徴とするものとされる。
【００１８】
上述のように構成される本発明に係るコネクタ装置にあっては、アクチュエータが有するカム部が、その一部が導電コンタクトに設けられた切欠き部に落ち込んでいない状態におかれ、アクチュエータが、複数の導電コンタクトに配線板状部材の絶縁ハウジング内への差込みを妨げない状態をとらせる第１の姿勢をとるものとされたもとで、絶縁ハウジング内に板状部材差込み部を通じて、例えば、ＦＰＣの部分とされる配線板状部材が差し込まれる。絶縁ハウジング内に配線板状部材が差し込まれると、カム部が、差し込まれる配線板状部材により押圧されて、配線板状部材の差込み方向に直線移動せしめられて、その一部が導電コンタクトに設けられた切欠き部に落ち込んでいない状態から、その一部が導電コンタクトに設けられた切欠き部に落ち込んで回動する状態に移行せしめられる。それにより、カム部を有するアクチュエータが、カム部の回動に伴って回動するものとされ、第１の姿勢から第２の姿勢に移行せしめられて、自動的に第２の姿勢をとるものとされる。第２の姿勢をとるアクチュエータは、複数の導電コンタクトの夫々における一対の腕状部のいずれかに、配線板状部材に配列配置された複数の接続端子のうちの対応するものに対する接触状態をとらせる。
【００１９】
従って、アクチュエータが第１の姿勢をとるものとされたもとで、絶縁ハウジング内に配線板状部材が差し込まれるとき、それに伴って、アクチュエータが、自動的に、第２の姿勢をとるものとされることになり、それにより、絶縁ハウジング内に配列配置された複数の導電コンタクトが、絶縁ハウジング内に差し込まれた配線板状部材に配列配置された複数の接続端子に夫々当接する状態に置かれる。その結果、例えば、配線板状部材に配列配置された複数の接続端子が、複数の導電コンタクトを介して、複数の導電コンタクトが接続された回路基板の回路配線部等に電気的に接続されることになる。
【００２０】
また、アクチュエータが第２の姿勢をとるものとされ、絶縁ハウジング内に配列配置された複数の導電コンタクトが、絶縁ハウジング内に差し込まれた配線板状部材に配列配置された複数の接続端子に夫々当接する状態に置かれたもとで、アクチュエータを、第２の姿勢から第１の姿勢へと回動させる操作が行われると、アクチュエータが有するカム部が、その一部が導電コンタクトに設けられた切欠き部に落ち込んだ状態からその一部が導電コンタクトに設けられた切欠き部に落ち込んでいない状態に移行せしめられる。それにより、複数の導電コンタクトが、配線板状部材の絶縁ハウジング内への差込みを妨げない状態をとるものとされる。その後、必要に応じて、配線板状部材が絶縁ハウジングから板状部材差込み部を通じて離脱せしめられる。
【発明の効果】
【００２１】
上述のような本発明に係るコネクタ装置にあっては、例えば、ＦＰＣ，ＦＦＣ等の部分とされる配線板状部材を当該コネクタ装置が固着された主印刷配線基板に取り付ける場合等において、配線板状部材における複数の接続端子が絶縁ハウジング内の複数の導電コンタクトに接続される状態を得べく、アクチュエータが第１の姿勢をとるもとで、配線板状部材が絶縁ハウジング内に板状部材差込み部を通じて差し込まれるとき、配線板状部材の絶縁ハウジング内への差込みに伴って、アクチュエータが、自動的に回動するものとされ、第１の姿勢から第２の姿勢に移行せしめられて第２の姿勢をとり、それにより、複数の導電コンタクトが絶縁ハウジング内に差し込まれた配線板状部材における複数の接続端子に夫々当接するものとされる。従って、本発明に係るコネクタ装置によれば、配線板状部材における複数の接続端子が絶縁ハウジング内の複数の導電コンタクトに接続される状態を得るにあたり、配線板状部材を絶縁ハウジング内に板状部材差込み部を通じて差し込む操作だけで足り、アクチュエータを回動させる操作は必要とされないので、極めて簡単な操作をもって確実に目的を達成することができる。
【００２２】
また、本発明に係るコネクタ装置によれば、絶縁ハウジング内における複数の導電コンタクトが絶縁ハウジング内に差し込まれた配線板状部材における複数の接続端子に夫々当接するものとされる状態は、配線板状部材が絶縁ハウジング内の奥まで差し込まれて所定の位置に配されたもとでとられるので、複数の導電コンタクトの配線板状部材の表面との摺動により配線板状部材に損傷が加えられるという虞もなく、かつ、絶縁ハウジング内における複数の導電コンタクトが絶縁ハウジング内に差し込まれた配線板状部材における複数の接続端子に適正に当接した状態を、絶縁ハウジング内への配線板状部材の差込み状態をもって確認することができる。
【００２３】
さらに、本発明に係るコネクタ装置によれば、配線板状部材の絶縁ハウジング内への差込みに伴うアクチュエータの自動的な回動が、絶縁ハウジングにおける板状部材差込み部が設けられた端部に対向する端部に向かう方向に行われるので、配線板状部材を絶縁ハウジング内の奥まで差し込むための操作が、アクチュエータに煩わされることのない、作業性の良いものとされることになる。
【発明を実施するための最良の形態】
【００２４】
本発明を実施するための最良の形態は、以下に述べられる本発明についての実施例をもって説明される。
【実施例】
【００２５】
図１は、本発明に係るコネクタ装置の一例を、それに差し込まれる配線板状部材とされるＦＰＣの部分と共に示す。
【００２６】
図１において、本発明に係るコネクタ装置の一例を成すコネクタ装置１０は、合成樹脂等の絶縁材料によって形成された絶縁ハウジング１１を備えており、絶縁ハウジング１１には、板状部材差込み部１２が設けられている。この絶縁ハウジング１１には、例えば、ＦＰＣ１３の部分が、配線板状部材を成すものとして、板状部材差込み部１２を通じて、その内部に差し込まれる。そして、コネクタ装置１０は、例えば、絶縁ハウジング１１が図示されていない回路基板に取り付けられて、当該回路基板に固着される。その際には、絶縁ハウジング１１の長手方向の両端部に取付金具（ホールドダウン：図示されていない。）が取り付けられ、絶縁ハウジング１１が、取付金具を介して、回路基板に取り付けられる。
【００２７】
板状部材差込み部１２を通じて絶縁ハウジング１１内に差し込まれるＦＰＣ１３の部分には、その相互対向する二面の一方（図１において上方となる面。以下、上面という。）に、各々が短冊形を成すものとされた導電性材料で成る複数の接続端子１４が、配列配置されて設けられている。複数の接続端子１４の夫々は、図示が省略された、ＦＰＣ１３に設けられた印刷配線部に連結されている。
【００２８】
コネクタ装置１０の絶縁ハウジング１１内には、複数の導電コンタクト１５が配列配置されている。これらの複数の導電コンタクト１５は、各々が、絶縁ハウジング１１に対するＦＰＣ１３の部分の差込み及び抜出し方向に沿う方向に伸びるものとされ、ＦＰＣ１３の部分が板状部材差込み部１２を通じて絶縁ハウジング１１内に差し込まれるとき、差し込まれたＦＰＣ１３の部分に配列配置された複数の接続端子１４に夫々対応する位置をとるものとされている。
【００２９】
複数の導電コンタクト１５の夫々は、図２に示されるように、弾性を有した導電性材料で形成された、全体が略「Ｕ」字状を成す部材とされている。斯かる導電コンタクト１５における、連結部１６によって連結されて相互対向する一対の腕状部１７及び１８のうち、腕状部１７が固定部とされ、腕状部１８が変位可能な可動部とされている。そして、固定部を成す腕状部１７は、その一端部に、絶縁ハウジング１１内に差し込まれたＦＰＣ１３の部分に当接する当接部１７ａが設けられ、また、その他端部に、絶縁ハウジング１１が取り付けられる回路基板に設けられた回路配線部（図示が省略されている）に接続される接続部１７ｂが設けられたものとされる。また、可動部を成す腕状部１８は、連結部１６から伸び、その一端部に、絶縁ハウジング１１内に差し込まれたＦＰＣ１３の部分に配列配置された複数の接続端子１４のうちの対応するものに押圧当接する押圧当接部１８ａが設けられたものとされる。腕状部１７の一端部に設けられた当接部１７ａと腕状部１８の一端部に設けられた押圧当接部１８ａとは、相互対向する位置に置かれている。
【００３０】
さらに、複数の導電コンタクト１５の夫々の腕状部１７における腕状部１８に対向する縁部には、切欠き部１７ｃが、複数の導電コンタクト１５の配列方向に沿う極めて短い溝状部を成すものとして設けられている。一方、複数の導電コンタクト１５の夫々の腕状部１８における腕状部１７に対向する縁部には、後述されるアクチュエータのカム部に係合する係合部１８ｂが設けられている。
【００３１】
そして、ＦＰＣ１３の部分が板状部材差込み部１２を通じて絶縁ハウジング１１内に差し込まれるときには、絶縁ハウジング１１内に配列配置された複数の導電コンタクト１５の夫々における腕状部１７と腕状部１８とが、絶縁ハウジング１１内に差し込まれた、複数の接続端子１４が配列配置されて設けられたＦＰＣ１３の部分を挟むものとされる。その際、複数の導電コンタクト１５における腕状部１８は、ＦＰＣ１３の部分の上面に設けられた複数の接続端子１４に夫々対応するものとなる。
【００３２】
また、絶縁ハウジング１１には、それにおける板状部材差込み部１２が設けられた端部に対向する端部側に配置されたアクチュエータ２０が設けられている。アクチュエータ２０は、合成樹脂等の絶縁材料によって形成されて、その全体が、絶縁ハウジング１１における複数の導電コンタクト１５の配列方向に伸びる形状をしており、図３に示されるように、アクチュエータ２０を回動させる操作に供される操作部２１、及び、絶縁ハウジング１１内に配列配置された複数の導電コンタクト１５の配列方向に沿って伸びて、複数の導電コンタクト１５に当接する状態をとるカム部２２を有している。このカム部２２は、後述される図４に示されるように、絶縁ハウジング１１内に配列配置された複数の導電コンタクト１５の夫々における腕状部１７と腕状部１８との間に配されるものとされ、複数の導電コンタクト１５の配列方向に直交する面内の断面形状が、角が丸められた三角形状を成すものとされている。
【００３３】
斯かるアクチュエータ２０が有するカム部２２は、絶縁ハウジング１１内に配列配置された複数の導電コンタクト１５の夫々における腕状部１７及び腕状部１８の各々に当接するもとで、絶縁ハウジング１１に対するＦＰＣ１３の部分の差込み方向及びその逆の方向への直線移動と回動とが可能とされている。そして、カム部２２が、絶縁ハウジング１１内に配列配置された複数の導電コンタクト１５の夫々における腕状部１７及び腕状部１８の各々に当接するもとで、絶縁ハウジング１１に対するＦＰＣ１３の部分の差込み方向及びその逆の方向への直線移動と回動とが可能とされていることによって、カム部２２を有するアクチュエータ２０が、絶縁ハウジング１１に対しての、絶縁ハウジング１１に対するＦＰＣ１３の部分の差込み方向及びその逆の方向への直線移動と回動とが、可能とされていることになる。
【００３４】
上述のようなアクチュエータ２０は、図１に示されるように、絶縁ハウジング１１における板状部材差込み部１２が設けられた端部に対向する端部側から所定の角度をもって起き上がった第１の姿勢をとることができる。図１におけるＩＶ−ＩＶ線断面をあらわす図４に示されるように、アクチュエータ２０が第１の姿勢をとるときには、アクチュエータ２０が有するカム部２２が、絶縁ハウジング１１内に配列配置された複数の導電コンタクト１５の夫々における腕状部１７及び腕状部１８の各々に当接するとともに、その一部が腕状部１７に設けられた切欠き部１７ｃに落ち込んでいない状態に置かれる。そして、このとき、腕状部１８に設けられた係合部１８ｂが、カム部２２に係合して、カム部２２の位置決めを行っている。
【００３５】
その一部が切欠き部１７ｃに落ち込んでいず、係合部１８ｂによる位置決めが行われた状態にあるカム部２２は、その一部が切欠き部１７ｃに落ち込んだ状態にあるときに比して、腕状部１８を腕状部１７から離隔させる方向に移動させている。それにより、カム部２２の一部が切欠き部１７ｃに落ち込んでいないときには、カム部２２の一部が切欠き部１７ｃに落ち込んでいるときに比して、腕状部１７の一端部に設けられた当接部１７ａと腕状部１８の一端部に設けられた押圧当接部１８ａとの間の間隔が広げられていることになる。その結果、絶縁ハウジング１１内に配列配置された複数の導電コンタクト１５が、ＦＰＣ１３の部分の絶縁ハウジング１１内への板状部材差込み部１２を通じた差込みを妨げない状態におかれることになる。即ち、アクチュエータ２０は、第１の姿勢をとるときには、カム部２２をもって絶縁ハウジング１１内に配列配置された複数の導電コンタクト１５に係合し、そのカム２２によって、複数の導電コンタクト１５に、ＦＰＣ１３の部分の絶縁ハウジング１１内への板状部材差込み部１２を通じた差込みを妨げない状態をとらせるのである。
【００３６】
配線板状部材を成すＦＰＣ１３の部分のコネクタ装置１０への差込みがなされるにあたっては、上述のようにしてアクチュエータ２０が第１の姿勢をとるもとにおいて、図５に示されるように、配線板状部材を成すＦＰＣ１３の部分が、絶縁ハウジング１１に設けられた板状部材差込み部１２を通じて絶縁ハウジング１１内に差し込まれる。このとき、差し込まれるＦＰＣ１３の部分は、複数の接続端子１４が配列配置された上面とは反対側の面（以下、下面という。）に、絶縁ハウジング１１内に配列配置された複数の導電コンタクト１５の夫々における腕状部１７に設けられた当接部１７ａが当接するものとされる。そして、ＦＰＣ１３の部分が絶縁ハウジング１１内に差し込まれるに従って、図５に示されるように、差し込まれたＦＰＣ１３の部分の先端が、絶縁ハウジング１１内において複数の導電コンタクト１５の夫々の腕状部１７と腕状部１８との間に配され、腕状部１８に設けられた係合部１８ｂにより位置決めされたカム部２２に当接する。
【００３７】
その後、配線板状部材を成すＦＰＣ１３の部分が絶縁ハウジング１１内に引き続いて差し込まれることにより、図６に示されるように、カム部２２に当接したＦＰＣ１３の部分の先端がカム部２２を押圧し、カム部２２に、腕状部１８に設けられた係合部１８ｂにより位置決めされた状態を脱して、絶縁ハウジング１１に対するＦＰＣ１３の部分の差込み方向に直線移動する状態をとらせる。このとき、カム部２２の直線移動に伴って、カム部２２を有したアクチュエータ２０の全体も、絶縁ハウジング１１に対するＦＰＣ１３の部分の差込み方向に直線移動せしめられる。
【００３８】
そして、配線板状部材を成すＦＰＣ１３の部分が絶縁ハウジング１１内に更に差し込まれると、図７に示されるように、ＦＰＣ１３の部分の先端により押圧されて、絶縁ハウジング１１に対するＦＰＣ１３の部分の差込み方向に直線移動するカム部２２が、その一部が複数の導電コンタクト１５の夫々の腕状部１７に設けられた切欠き部１７ｃに落ち込み、その落込みと同時に回動するものとされる。このカム部２２の回動に伴って、カム部２２を有したアクチュエータ２０の全体も回動せしめられ、アクチュエータ２０が、図１及び図４〜図６に示される第１の姿勢をとる状態から、図７及び図８に示されるように、絶縁ハウジング１１における板状部材差込み部１２が設けられた端部に対向する端部に向かって倒れた第２の姿勢をとる状態に移行せしめられる。即ち、配線板状部材を成すＦＰＣ１３の部分が絶縁ハウジング１１内に更に差し込まれることにより、アクチュエータ２０が自動的に回動して第２の姿勢をとるものとされるのである。そして、アクチュエータ２０は、第１の姿勢と第２の姿勢とを選択的にとることになる。
【００３９】
第２の姿勢をとるものとされたアクチュエータ２０は、一部が複数の導電コンタクト１５の夫々の腕状部１７に設けられた切欠き部１７ｃに落ち込んだカム部２２が、複数の導電コンタクト１５の夫々の腕状部１８に当接してその腕状部１８からの押圧力を受ける状態におかれることにより、第２の姿勢を継続的に維持するものとされる。
【００４０】
このようにして、カム部２２が、その一部が複数の導電コンタクト１５の夫々の腕状部１７に設けられた切欠き部１７ｃに落ち込んだ状態とされて、アクチュエータ２０が、第２の姿勢をとるときには、複数の導電コンタクト１５の夫々の腕状部１８が、一部が切欠き部１７ｃに落ち込んでいない状態にあるカム部２２により腕状部１７から離隔する方向に移動せしめられた状態から開放されて、自身の弾性により、一部が複数の導電コンタクト１５の夫々の腕状部１７に設けられた切欠き部１７ｃに落ち込んだカム部２２との当接状態を維持しつつ、腕状部１７に近接する方向に移動する。それにより、腕状部１８に設けられた押圧当接部１８ａが、腕状部１７に設けられた当接部１７ａが下面に当接しているＦＰＣ１３の部分の上面に配列配置された複数の接続端子１４のうちの対応するものに押圧当接するものとされる。その結果、ＦＰＣ１３の部分の上面に配列配置された複数の接続端子１４が、複数の導電コンタクト１５に夫々接続されて、コネクタ装置１０が固着された回路基板に設けられた回路配線部に電気的に接続される状態におかれる。
【００４１】
上述のようにして、配線板状部材を成すＦＰＣ１３の部分が絶縁ハウジング１１内に差し込まれるとき、アクチュエータ２０が自動的に回動して第２の姿勢をとるものとされて、複数の導電コンタクト１５の夫々における腕状部１８に設けられた押圧当接部１８ａが、ＦＰＣ１３の部分の上面に配列配置された複数の接続端子１４のうちの対応するものに押圧当接するものとされ、それにより、ＦＰＣ１３の部分の上面に配列配置された複数の接続端子１４が、複数の導電コンタクト１５に夫々接続されて、コネクタ装置１０が固着された回路基板に設けられた回路配線部に電気的に接続されることになる。
【００４２】
アクチュエータ２０が有するカム部２２が、その一部が複数の導電コンタクト１５の夫々の腕状部１７に設けられた切欠き部１７ｃに落ち込んだ状態とされて、アクチュエータ２０が第２の姿勢をとるものとされ、絶縁ハウジング１１内に配列配置された複数の導電コンタクト１５の夫々における腕状部１８に設けられた押圧当接部１８ａが、絶縁ハウジング１１内に差し込まれたＦＰＣ１３の部分の上面に配列配置された複数の接続端子１４のうちの対応するものに押圧当接する状態に置かれたもとで、アクチュエータ２０を、カム部２２が受ける複数の導電コンタクト１５の夫々の腕状部１８からの押圧力に抗して、第２の姿勢から第１の姿勢へと回動させる操作が行われると、カム部２２が、その一部が複数の導電コンタクト１５の夫々の腕状部１７に設けられた切欠き部１７ｃに落ち込んだ状態からその一部が複数の導電コンタクト１５の夫々の腕状部１７に設けられた切欠き部１７ｃに落ち込んでいない状態へと移行せしめられるとともに、絶縁ハウジング１１に対するＦＰＣ１３の部分の差込み方向とは逆の方向、即ち、絶縁ハウジング１１に対するＦＰＣ１３の部分の抜出し方向に直線移動せしめられる。それにより、複数の導電コンタクト１５が、図４〜図６に示されるような、ＦＰＣ１３の部分の絶縁ハウジング１１内への差込みを妨げない状態をとるものとされる。その後、必要に応じて、ＦＰＣ１３の部分が絶縁ハウジング１１から板状部材差込み部１２を通じて離脱せしめられる。
【００４３】
上述のようなコネクタ装置１０によれば、ＦＰＣ１３の部分における複数の接続端子１４が絶縁ハウジング１１内の複数の導電コンタクト１５に接続される状態を得るにあたり、ＦＰＣ１３の部分を絶縁ハウジング１１内に板状部材差込み部１２を通じて差し込む操作だけで足り、アクチュエータ２０を回動させる操作は必要とされないので、極めて簡単な操作をもって確実に目的を達成することができることになる。
【００４４】
また、コネクタ装置１０によれば、絶縁ハウジング１１内における複数の導電コンタクト１５が絶縁ハウジング１１内に差し込まれたＦＰＣ１３の部分における複数の接続端子１４に夫々押圧当接するものとされる状態は、ＦＰＣ１３の部分が絶縁ハウジング１１内の奥まで差し込まれて予め設定された所定の位置に配されたもとでとられるので、複数の導電コンタクト１５のＦＰＣ１３の部分の表面との摺動によりＦＰＣ１３の部分に損傷が加えられるという虞もなく、かつ、絶縁ハウジング１１内における複数の導電コンタクト１５が絶縁ハウジング１１内に差し込まれたＦＰＣ１３の部分における複数の接続端子１４に適正に押圧当接した状態を、絶縁ハウジング１１内へのＦＰＣ１３の部分の差込み状態をもって確認することができる。
【００４５】
さらに、コネクタ装置１０によれば、ＦＰＣ１３の部分の絶縁ハウジング１１内への差込みに伴うアクチュエータ２０の自動的な回動が、絶縁ハウジング１１における板状部材差込み部１２が設けられた端部に対向する端部に向かう方向に行われるので、ＦＰＣ１３の部分を絶縁ハウジング１１内の奥まで差し込むための操作が、アクチュエータ２０に煩わされることのない、作業性の良いものとされることになる。
【００４６】
なお、上述の例においては、ＦＰＣ１３の部分の上面に複数の接続端子１４が配列配置されており、ＦＰＣ１３の部分が絶縁ハウジング１１内に差し込まれるとき、複数の導電コンタクト１５の夫々における可動部とされる腕状部１８に設けられた押圧当接部１８ａが、ＦＰＣ１３の部分の上面における複数の接続端子１４のうちの対応するものに押圧当接し、当該導電コンタクト１５における固定部とされる腕状部１７に設けられた当接部１７ａが、ＦＰＣ１３の部分の下面に当接するものとされているが、ＦＰＣ１３の部分の下面に複数の接続端子が配列配置されていて、そのＦＰＣ１３の部分が絶縁ハウジング１１内に差し込まれるとき、複数の導電コンタクト１５の夫々における可動部とされる腕状部１８に設けられた押圧当接部１８ａが、ＦＰＣ１３の部分の上面に押圧当接し、当該導電コンタクト１５における固定部とされる腕状部１７に設けられた当接部１７ａが、ＦＰＣ１３の部分の下面における複数の接続端子に当接するものとされてもよい。
【００４７】
また、上述の例においては、複数の導電コンタクト１５の夫々における腕状部１７に設けられた当接部１７ａと腕状部１８に設けられた押圧当接部１８ａとが相互対向する位置に配されているが、斯かる当接部１７ａと押圧当接部１８ａとは、絶縁ハウジング１１に対するＦＰＣ１３の部分の差込み及び抜出し方向において位置ずれしているものとされてもよい。
【産業上の利用可能性】
【００４８】
以上のような本発明に係るコネクタ装置は、例えば、ＦＰＣの部分とされる配線板状部材の主印刷配線基板への取付けに用いられる、板状部材差込み部が設けられた絶縁ハウジングと、その内部に設けられる複数のコンタクトと、回動可能に設けられて、回動により、複数のコンタクトに絶縁ハウジング内に差し込まれた配線板状部材における複数の接続端子に夫々当接する状態をとらせるアクチュエータとを備えたコネクタ装置であって、配線板状部材を当該コネクタ装置が固着された主印刷配線基板に取り付ける場合等において、絶縁ハウジング内に板状部材差込み部を通じて配線板状部材を差し込む操作だけで目的を達成でき、しかも、複数の導電コンタクトの配線板状部材の表面との摺動により配線板状部材に損傷が加えられる虞もないものとして、様々な電子機器等に広く適用され得るものである。
【図面の簡単な説明】
【００４９】
【図１】本発明に係るコネクタ装置の一例を、それに差し込まれるＦＰＣの部分と共に示す斜視図である。
【図２】本発明に係るコネクタ装置の一例に備えられる導電コンタクトの説明に供される斜視図である。
【図３】本発明に係るコネクタ装置の一例に備えられるアクチュエータの説明に供される斜視図である。
【図４】図１におけるＩＶ−ＩＶ線断面をあらわす断面図である。
【図５】本発明に係るコネクタ装置の一例の使用状態説明に供される断面図である。
【図６】本発明に係るコネクタ装置の一例の使用状態説明に供される断面図である。
【図７】本発明に係るコネクタ装置の一例の使用状態説明に供される断面図である。
【図８】本発明に係るコネクタ装置の一例の使用状態説明に供される斜視図である。
【符号の説明】
【００５０】
１０・・・コネクタ装置，  １１・・・絶縁ハウジング，  １２・・・板状部材差込み部，  １３・・・ＦＰＣ，  １４・・・接続端子，  １５・・・導電コンタクト，  １６・・・連結部，  １７，１８・・・腕状部，  １７ａ・・・当接部，  １７ｂ・・・接続部，  １７ｃ・・・切欠き部，  １８ａ・・・押圧当接部，  １８ｂ・・・係合部，  ２０・・・アクチュエータ，  ２１・・・操作部，  ２２・・・カム部
【図１】
0005077032.tif 000002
【図２】
0005077032.tif 000003
【図３】
0005077032.tif 000004
【図４】
0005077032.tif 000005
【図５】
0005077032.tif 000006
【図６】
0005077032.tif 000007
【図７】
0005077032.tif 000008
【図８】
0005077032.tif 000009